(57)【要約】【課題】  低コストの光ディスクを用いて、ユーザが光ディスクに記録されたコンテンツの内容を装置内で再生させることなく即座に確認することを可能にする。【解決手段】  光ディスク１に読み取り専用のＲＦＩＤタグ２を一体に設け、光ディスク１の個体を識別するディスクＩＤ１１のみ記録しておく。ビデオレコーダ１００には、光ディスク１へのコンテンツの記録時に、その光ディスク１のディスクＩＤ１１と、コンテンツのインデックス情報１２とをディスク管理情報１０として記録しておく。コンテンツ記録後の光ディスク１のＲＦＩＤタグ２からは、リモートコントローラ２００によりディスクＩＤ１１が非接触で読み取られ、ビデオレコーダ１００に送信される。ビデオレコーダ１００は、受信したディスクＩＤ１１に対応するインデックス情報１２をディスク管理情報１０から抽出して一覧表示する。【選択図】  図１
2006031843.tif 000002
【特許請求の範囲】
【請求項１】
光ディスクを用いてデータの記録および再生を行う光ディスク記録再生装置において、
前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、
外部に存在する前記光ディスクの前記ＲＦＩＤタグから前記個体識別情報を非接触で読み取る識別情報読み取り手段と、
前記識別情報読み取り手段により読み取られた前記個体識別情報に対応する前記インデックス情報を前記ディスク管理情報から抽出して、抽出した前記インデックス情報を画面表示するための画像信号を出力する表示処理手段と、
を有することを特徴とする光ディスク記録再生装置。
【請求項２】
前記光ディスク記録再生装置の内部に挿入された前記光ディスクの前記ＲＦＩＤタグから前記個体識別情報を非接触で読み取る識別情報内部読み取り手段と、
前記光ディスクへのコンテンツの記録時に、当該コンテンツについての前記インデックス情報と、前記識別情報内部読み取り手段により読み取られた当該光ディスクの前記個体識別情報とを対応付けて前記ディスク管理情報に登録する管理情報登録手段と、
をさらに有することを特徴とする請求項１記載の光ディスク記録再生装置。
【請求項３】
放送電波を通じてコンテンツを受信する放送受信手段と、
コンテンツの放送時刻およびその内容を示す情報を取得する放送情報取得手段と、
をさらに有し、
前記管理情報登録手段は、前記放送受信手段により受信されたコンテンツを前記光ディスクに記録する場合に、前記放送情報取得手段により取得された当該コンテンツについての情報を基に前記インデックス情報を生成して、前記ディスク管理情報に登録することを特徴とする請求項２記載の光ディスク記録再生装置。
【請求項４】
前記光ディスク記録再生装置の内部に設けられて、コンテンツおよび対応する前記インデックス情報を記録することが可能な固定記録媒体をさらに有し、
前記管理情報登録手段は、前記固定記録媒体に記録されたコンテンツを前記光ディスクに記録する場合に、前記固定記録媒体に記録された当該コンテンツについての前記インデックス情報と、記録対象の前記光ディスクから前記識別情報内部読み取り手段により読み取られた前記個体識別情報とを対応付けて前記ディスク管理情報に登録することを特徴とする請求項２記載の光ディスク記録再生装置。
【請求項５】
放送電波を通じてコンテンツを受信する放送受信手段と、
コンテンツの放送時刻およびその内容を示す情報を取得する放送情報取得手段と、
前記放送受信手段により受信されたコンテンツを前記固定記録媒体に記録する場合に、前記放送情報取得手段により取得された当該コンテンツについての情報を基に前記インデックス情報を生成して前記固定記録媒体に記録するインデックス情報生成手段と、
をさらに有することを特徴とする請求項４記載の光ディスク記録再生装置。
【請求項６】
前記管理情報登録手段は、挿入された前記光ディスクに記録されたコンテンツを再生する場合にも、当該コンテンツについての前記インデックス情報と、前記識別情報内部読み取り手段により読み取られた当該光ディスクの前記個体識別情報とを対応付けて前記ディスク管理情報に登録することを特徴とする請求項２記載の光ディスク記録再生装置。
【請求項７】
光ディスクを用いてデータの記録および再生を行う光ディスク記録再生装置において、
前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、
前記光ディスク記録再生装置の動作を遠隔操作する外部のリモートコントローラからの無線信号を受信する信号受信手段と、
前記リモートコントローラによって前記光ディスクの前記ＲＦＩＤタグから読み取られた前記個体識別情報を前記信号受信手段を通じて受け取ると、当該個体識別情報に対応する前記インデックス情報を前記ディスク管理情報から抽出して、抽出した前記インデックス情報を画面表示するための画像信号を出力する表示処理手段と、
を有することを特徴とする光ディスク記録再生装置。
【請求項８】
前記光ディスク記録再生装置の内部に挿入された前記光ディスクの前記ＲＦＩＤタグから前記個体識別情報を非接触で読み取る識別情報内部読み取り手段と、
前記光ディスクへのコンテンツの記録時に、当該コンテンツについての前記インデックス情報と、前記識別情報内部読み取り手段により読み取られた当該光ディスクの前記個体識別情報とを対応付けて前記ディスク管理情報に登録する管理情報登録手段と、
をさらに有することを特徴とする請求項７記載の光ディスク記録再生装置。
【請求項９】
前記光ディスク記録再生装置の内部に設けられて、コンテンツおよび対応する前記インデックス情報を記録することが可能な固定記録媒体をさらに有し、
前記管理情報登録手段は、前記固定記録媒体に記録されたコンテンツを前記光ディスクに記録する場合に、前記固定記録媒体に記録された当該コンテンツについての前記インデックス情報と、記録対象の前記光ディスクから前記識別情報内部読み取り手段により読み取られた前記個体識別情報とを対応付けて前記ディスク管理情報に登録することを特徴とする請求項８記載の光ディスク記録再生装置。
【請求項１０】
光ディスクを用いてデータの記録および再生を行う光ディスク記録再生装置において、
前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、
前記光ディスク記録再生装置の動作を遠隔操作する外部のリモートコントローラとの間で無線通信する無線通信手段と、
前記リモートコントローラによって前記光ディスクの前記ＲＦＩＤタグから読み取られた前記個体識別情報を前記無線通信手段を通じて受け取ると、当該個体識別情報に対応する前記インデックス情報を前記ディスク管理情報から抽出して、抽出した前記インデックス情報を前記無線通信手段を通じて前記リモートコントローラに送信させる情報検索手段と、
を有することを特徴とする光ディスク記録再生装置。
【請求項１１】
前記光ディスク記録再生装置の内部に挿入された前記光ディスクの前記ＲＦＩＤタグから前記個体識別情報を非接触で読み取る識別情報内部読み取り手段と、
前記光ディスクへのコンテンツの記録時に、当該コンテンツについての前記インデックス情報と、前記識別情報内部読み取り手段により読み取られた当該光ディスクの前記個体識別情報とを対応付けて前記ディスク管理情報に登録する管理情報登録手段と、
をさらに有することを特徴とする請求項１０記載の光ディスク記録再生装置。
【請求項１２】
前記光ディスク記録再生装置の内部に設けられて、コンテンツおよび対応する前記インデックス情報を記録することが可能な固定記録媒体をさらに有し、
前記管理情報登録手段は、前記固定記録媒体に記録されたコンテンツを前記光ディスクに記録する場合に、前記固定記録媒体に記録された当該コンテンツについての前記インデックス情報と、記録対象の前記光ディスクから前記識別情報内部読み取り手段により読み取られた前記個体識別情報とを対応付けて前記ディスク管理情報に登録することを特徴とする請求項１１記載の光ディスク記録再生装置。
【請求項１３】
光ディスクの記録および再生を行う光ディスク記録再生装置の動作を無線通信により遠隔操作するためのリモートコントローラにおいて、
前記光ディスクに一体に設けられたＲＦＩＤタグから、前記光ディスクの個体識別情報を非接触で読み取る識別情報読み取り手段と、
前記識別情報読み取り手段により読み取られた前記個体識別情報を前記光ディスク記録再生装置に対して無線送信する識別情報送信手段と、
を有することを特徴とするリモートコントローラ。
【請求項１４】
前記識別情報送信手段による前記個体識別情報の送信に応答して前記光ディスク記録再生装置から送信された、当該個体識別情報に対応する前記光ディスクに記録された内容を示すインデックス情報を、無線により受信するインデックス情報受信手段と、
前記インデックス情報受信手段により受信された前記インデックス情報を画面上に表示する表示手段と、
をさらに有することを特徴とする請求項１３記載のリモートコントローラ。
【請求項１５】
光ディスクの記録および再生を行う光ディスク記録再生装置において前記光ディスクに記録されたコンテンツを管理するためのコンテンツ管理方法において、
管理情報記憶手段が、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶ステップと、
識別情報読み取り手段が、外部に存在する前記光ディスクの前記ＲＦＩＤタグから前記個体識別情報を非接触で読み取る識別情報読み取りステップと、
表示処理手段が、前記識別情報読み取りステップで読み取られた前記個体識別情報に対応する前記インデックス情報を前記ディスク管理情報から抽出して、抽出した前記インデックス情報を画面表示するための画像信号を出力する表示処理ステップと、
を含むことを特徴とするコンテンツ管理方法。
【請求項１６】
光ディスクの記録および再生を行う光ディスク記録再生装置において前記光ディスクに記録されたコンテンツを管理するためのコンテンツ管理方法において、
前記光ディスク記録再生装置の管理情報記憶手段が、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶ステップと、
前記光ディスク記録再生装置の動作を遠隔制御するリモートコントローラの識別情報読み取り手段が、前記光ディスクの前記ＲＦＩＤタグから前記個体識別情報を非接触で読み取る識別情報読み取りステップと、
前記識別情報読み取りステップで読み取られた前記個体識別情報を前記リモートコントローラから前記光ディスク記録再生装置に対して無線送信する識別情報送信ステップと、
前記光ディスク記録再生装置の表示処理手段が、前記リモートコントローラから送信された前記個体識別情報に対応する前記インデックス情報を前記ディスク管理情報から抽出して、抽出した前記インデックス情報を画面表示するための画像信号を出力する表示処理ステップと、
を含むことを特徴とするコンテンツ管理方法。
【請求項１７】
光ディスクの記録および再生を行う光ディスク記録再生装置において前記光ディスクに記録されたコンテンツを管理するためのコンテンツ管理方法において、
前記光ディスク記録再生装置の管理情報記憶手段が、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶ステップと、
前記光ディスク記録再生装置の動作を遠隔制御するリモートコントローラの識別情報読み取り手段が、前記光ディスクの前記ＲＦＩＤタグから前記個体識別情報を非接触で読み取る識別情報読み取りステップと、
前記識別情報読み取りステップで読み取られた前記個体識別情報を前記リモートコントローラから前記光ディスク記録再生装置に対して無線送信する識別情報送信ステップと、
前記光ディスク記録再生装置の情報検索手段が、前記リモートコントローラから送信された前記個体識別情報に対応する前記インデックス情報を前記ディスク管理情報から抽出する情報検索ステップと、
前記情報検索ステップで抽出された前記インデックス情報を前記光ディスク記録再生装置から前記リモートコントローラに対して無線送信する情報返信ステップと、
前記リモートコントローラの表示手段が、前記光ディスク記録再生装置から送信された前記インデックス情報を画面上に表示する表示ステップと、
を含むことを特徴とするコンテンツ管理方法。
【発明の詳細な説明】
【技術分野】
【０００１】
本発明は、光ディスクを用いてデータの記録および再生を行う光ディスク記録再生装置、この光ディスク記録再生装置用のリモートコントローラ、およびこれらを用いたコンテンツ管理方法に関し、特に、光ディスクの記録内容をユーザが容易に確認することが可能とされる光ディスク記録再生装置、リモートコントローラ、およびコンテンツ管理方法に関する。
【背景技術】
【０００２】
近年、音楽用ＣＤ（Compact Disc）、ＣＤ−Ｒ（Recordable）／ＲＷ（ReWritable）、ＤＶＤ−ＲＯＭ（Digital Versatile Disk-Read Only Memory）、ＤＶＤ±Ｒ／ＲＷ、ＤＶＤ−ＲＡＭ（Random Access Memory）、ブルーレイディスク（Blu-ray Disc）などの様々な種類の光ディスクが開発され、利用されるようになってきた。それに伴い、これらの様々な種類の光ディスクを用いて、１台の装置で再生あるいは記録を行うことが可能な装置（ユニバーサルディスクプレーヤ、ＤＶＤレコーダなど）が普及している。
【０００３】
しかし、これらの装置では、上記の様々な種類の光ディスクを利用するために、セットされた光ディスクの種類を判別しなければならないため、光ディスクをセットしてからコンテンツの記録あるいは再生が開始されるまでにかなりの時間を要し、ユーザの使い勝手が悪いという問題があった。
【０００４】
特に最近では、ＤＶＤレコーダやパーソナルコンピュータ（ＰＣ）などを用いて、光ディスクに映像などのコンテンツを録画・録音することが一般的になっている。記録可能な光ディスクでは、例えば、ディスクレーベル面やケース内のシートなどに、記録したコンテンツの内容を書き込んだり、あるいはプリンタにより印刷しておくことができるが、記録のたびに書き込みや印刷を行うのはユーザにとって非常に手間がかかる。しかし、これ以外の方法で記録したコンテンツの内容を確認するには、実際にレコーダあるいはプレーヤに光ディスクをセットし、記録データを再生してコンテンツ選択のためのメニュー画面を表示させるなどするしかない。従って、上述したように、光ディスクのセットから再生可能となるまで長時間を要することを鑑みると、多数の手持ちの光ディスクの中から視聴したいコンテンツを探し出すまでにたいへん手間がかかり、利便性が低い状態にあると言える。
【０００５】
このような問題に対して、コンテンツの記録媒体に非接触型の記憶素子を一体に設けて、記憶素子にコンテンツに関する情報を記憶させ、記憶素子の情報をリモコン装置によって非接触で読み出し、表示するようにしたシステムがあった（例えば、特許文献１参照）。この記憶素子としては、半導体チップを用いたいわゆるＲＦＩＤ（Radio Frequency Identification）タグなどを用いることができる。
【特許文献１】特開２００１−６７８４２号公報（段落番号〔００２３〕〜〔００５４〕、図１）
【発明の開示】
【発明が解決しようとする課題】
【０００６】
しかし、上記の特許文献１のように、光ディスクに記録したコンテンツに関する情報を記憶素子に記録するためには、その記憶素子は、コンテンツの情報を格納し得るだけの容量を持ち、しかも追記や書き換えが可能である必要がある。このような記憶素子を書き換え可能な光ディスクに搭載すると、その光ディスクの製造コストが上昇して高価になるので、光ディスクを多数購入するユーザにとって受け入れ難く、適切な方法とは言えないという問題があった。
【０００７】
本発明はこのような点に鑑みてなされたものであり、低コストの光ディスクを用いて、ユーザが光ディスクに記録されたコンテンツの内容を装置内で再生させることなく即座に確認することが可能な光ディスク記録再生装置を提供することを目的とする。
【０００８】
また、本発明の他の目的は、低コストの光ディスクを用いて、ユーザが光ディスクに記録されたコンテンツの内容を装置内で再生させることなく即座に確認することが可能な光ディスク記録再生装置用のリモートコントローラを提供することである。
【０００９】
さらに、本発明の他の目的は、低コストの光ディスクを用いて、ユーザが光ディスクに記録されたコンテンツの内容を装置内で再生させることなく即座に確認することが可能なコンテンツ管理方法を提供することである。
【課題を解決するための手段】
【００１０】
本発明では上記課題を解決するために、光ディスクを用いてデータの記録および再生を行う光ディスク記録再生装置において、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、外部に存在する前記光ディスクの前記ＲＦＩＤタグから前記個体識別情報を非接触で読み取る識別情報読み取り手段と、前記識別情報読み取り手段により読み取られた前記個体識別情報に対応する前記インデックス情報を前記ディスク管理情報から抽出して、抽出した前記インデックス情報を画面表示するための画像信号を出力する表示処理手段とを有することを特徴とする光ディスク記録再生装置が提供される。
【００１１】
このような光ディスク記録再生装置では、当該装置の外部に存在する光ディスクの個体識別情報が識別情報読み取り手段によって読み取られ、その個体識別情報に対応するインデックス情報が、当該装置に記録されたディスク管理情報を基に抽出され、画面表示によりユーザに通知される。
【００１２】
また、光ディスク記録再生装置の内部に挿入された光ディスクのＲＦＩＤタグから個体識別情報を非接触で読み取る識別情報内部読み取り手段をさらに設けて、光ディスクへのコンテンツの記録時に、当該コンテンツについてのインデックス情報と、識別情報内部読み取り手段により読み取られた当該光ディスクの個体識別情報とを対応付けてディスク管理情報に登録するようにしてもよい。
【００１３】
さらに、放送電波を通じてコンテンツを受信する放送受信手段と、コンテンツの放送時刻およびその内容を示す情報を取得する放送情報取得手段とがさらに設けられていて、その放送受信手段により受信されたコンテンツを光ディスクに記録する場合には、放送情報取得手段により取得された当該コンテンツについての情報を基にインデックス情報を生成して、ディスク管理情報に登録するようにしてもよい。
【００１４】
また、本発明では、光ディスクを用いてデータの記録および再生を行う光ディスク記録再生装置において、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、前記光ディスク記録再生装置の動作を遠隔操作する外部のリモートコントローラからの無線信号を受信する信号受信手段と、前記リモートコントローラによって前記光ディスクの前記ＲＦＩＤタグから読み取られた前記個体識別情報を前記信号受信手段を通じて受け取ると、当該個体識別情報に対応する前記インデックス情報を前記ディスク管理情報から抽出して、抽出した前記インデックス情報を画面表示するための画像信号を出力する表示処理手段とを有することを特徴とする光ディスク記録再生装置が提供される。
【００１５】
このような光ディスク記録再生装置では、当該装置の外部に存在する光ディスクの個体識別情報がリモートコントローラによって読み取られて送信され、受信した個体識別情報に対応するインデックス情報が、光ディスク記録再生装置に記録されたディスク管理情報を基に抽出され、画面表示によりユーザに通知される。
【００１６】
また、光ディスク記録再生装置の内部に挿入された光ディスクのＲＦＩＤタグから個体識別情報を非接触で読み取る識別情報内部読み取り手段をさらに設けて、光ディスクへのコンテンツの記録時に、当該コンテンツについてのインデックス情報と、識別情報内部読み取り手段により読み取られた当該光ディスクの個体識別情報とを対応付けてディスク管理情報に登録するようにしてもよい。
【００１７】
さらに、放送電波を通じてコンテンツを受信する放送受信手段と、コンテンツの放送時刻およびその内容を示す情報を取得する放送情報取得手段とがさらに設けられていて、その放送受信手段により受信されたコンテンツを光ディスクに記録する場合には、放送情報取得手段により取得された当該コンテンツについての情報を基にインデックス情報を生成して、ディスク管理情報に登録するようにしてもよい。
【００１８】
また、本発明では、光ディスクを用いてデータの記録および再生を行う光ディスク記録再生装置において、前記光ディスクに一体に設けられたＲＦＩＤタグに記録された前記光ディスクの個体識別情報と、前記光ディスクに記録されたコンテンツの内容を示すインデックス情報とを対応付けたディスク管理情報を記憶する管理情報記憶手段と、前記光ディスク記録再生装置の動作を遠隔操作する外部のリモートコントローラとの間で無線通信する無線通信手段と、前記リモートコントローラによって前記光ディスクの前記ＲＦＩＤタグから読み取られた前記個体識別情報を前記無線通信手段を通じて受け取ると、当該個体識別情報に対応する前記インデックス情報を前記ディスク管理情報から抽出して、抽出した前記インデックス情報を前記無線通信手段を通じて前記リモートコントローラに送信させる情報検索手段とを有することを特徴とする光ディスク記録再生装置が提供される。
【００１９】
このような光ディスク記録再生装置では、当該装置の外部に存在する光ディスクの個体識別情報がリモートコントローラによって読み取られて送信され、受信した個体識別情報に対応するインデックス情報が、光ディスク記録再生装置に記録されたディスク管理情報を基に抽出されてリモートコントローラに返信されるので、返信したインデックス情報をリモートコントローラ上で画面に表示し、ユーザに通知することができる。
【００２０】
また、光ディスク記録再生装置の内部に挿入された光ディスクのＲＦＩＤタグから個体識別情報を非接触で読み取る識別情報内部読み取り手段をさらに設けて、光ディスクへのコンテンツの記録時に、当該コンテンツについてのインデックス情報と、識別情報内部読み取り手段により読み取られた当該光ディスクの個体識別情報とを対応付けてディスク管理情報に登録するようにしてもよい。
【００２１】
さらに、放送電波を通じてコンテンツを受信する放送受信手段と、コンテンツの放送時刻およびその内容を示す情報を取得する放送情報取得手段とがさらに設けられていて、その放送受信手段により受信されたコンテンツを光ディスクに記録する場合には、放送情報取得手段により取得された当該コンテンツについての情報を基にインデックス情報を生成して、ディスク管理情報に登録するようにしてもよい。
【００２２】
また、本発明では、光ディスクの記録および再生を行う光ディスク記録再生装置の動作を無線通信により遠隔操作するためのリモートコントローラにおいて、前記光ディスクに一体に設けられたＲＦＩＤタグから、前記光ディスクの個体識別情報を非接触で読み取る識別情報読み取り手段と、前記識別情報読み取り手段により読み取られた前記個体識別情報を前記光ディスク記録再生装置に対して無線送信する識別情報送信手段とを有することを特徴とするリモートコントローラが提供される。
【００２３】
このようなリモートコントローラでは、光ディスク記録再生装置の外部に存在する光ディスクの個体識別情報が識別情報読み取り手段によって読み取られて、その個体識別情報が識別情報送信手段により光ディスク記録再生装置に無線送信される。これにより、その個体識別情報に対応するインデックス情報を、光ディスク記録再生装置に記録されたディスク管理情報を基に抽出し、当該装置側あるいはリモートコントローラ側で画面表示によりユーザに通知することができる。
【発明の効果】
【００２４】
本発明によれば、光ディスク記録再生装置に光ディスクを挿入して再生させることなく、その光ディスクに記録されたコンテンツのインデックス情報をユーザが確認することができるので、ユーザは所望のコンテンツが記録された光ディスクを即座に探し出すことができる。また、光ディスクにはＲＦＩＤタグが一体に設けられ、そのＲＦＩＤタグには個体識別情報のみを記憶し、さらに読み出し専用とすればよいので、光ディスクの製造コストの抑制と、利便性の向上とが両立される。
【００２５】
さらに、光ディスク記録再生装置の内部に挿入された光ディスクのＲＦＩＤタグから個体識別情報を非接触で読み取る識別情報内部読み取り手段をさらに設けて、光ディスクへのコンテンツの記録時に、当該コンテンツについてのインデックス情報と、識別情報内部読み取り手段により読み取られた当該光ディスクの個体識別情報とを対応付けてディスク管理情報に登録することにより、光ディスク記録再生装置を用いてコンテンツを記録したすべての光ディスクについて、その光ディスクに記録されたコンテンツのインデックス情報を即座に確認することが可能となる。
【００２６】
また、放送電波を通じてコンテンツを受信する放送受信手段と、コンテンツの放送時刻およびその内容を示す情報を取得する放送情報取得手段とをさらに設けて、その放送受信手段により受信されたコンテンツを光ディスクに記録する場合には、放送情報取得手段により取得された当該コンテンツについての情報を基にインデックス情報を生成して、ディスク管理情報に登録することにより、放送電波を通じて受信したコンテンツについては、そのインデックス情報を自動的に生成して、光ディスク記録再生装置の内部に記憶することができ、利便性がさらに向上する。
【発明を実施するための最良の形態】
【００２７】
以下、本発明の実施の形態を図面を参照して詳細に説明する。
《第１の実施の形態》
図１は、第１の実施の形態のシステム構成を示す図である。
【００２８】
図１では、ビデオレコーダ１００において光ディスク１に対して記録したコンテンツ（本実施の形態では例として放送により受信したビデオコンテンツ）を管理するためのコンテンツ管理システムを示している。このコンテンツ管理システムは、放送コンテンツの受信および記録媒体への記録を行うビデオレコーダ１００と、ビデオレコーダ１００を遠隔操作するためのリモートコントローラ２００とを含む。
【００２９】
ビデオレコーダ１００は、放送コンテンツを受信し、また受信したコンテンツなどを記録媒体にデジタルデータとして記録する。記録媒体としては少なくとも書き込み可能な光ディスク１を用いることができ、また、ＤＶＤ±Ｒ、ＤＶＤ±ＲＷ、ブルーレイディスク、音楽用ＣＤなどのように、複数種類の光ディスク１の記録や再生を行うことが可能となっている。また、本実施の形態では、ビデオレコーダ１００は比較的大容量のＨＤＤを内蔵し、光ディスク１だけでなくＨＤＤにもコンテンツを記録することが可能となっている。さらに、ビデオレコーダ１００には、コンテンツの再生映像などを表示するためのテレビジョン（ＴＶ）受像機３００が接続されている。
【００３０】
このビデオレコーダ１００で利用される光ディスク１には、データの読み取り専用のＲＦＩＤタグ２が一体に設けられている。このＲＦＩＤタグ２には、光ディスク１の個体を識別するため固有のディスクＩＤ１１が、書き換え不可能な状態で記録されている。ビデオレコーダ１００は、内部に挿入された光ディスク１のＲＦＩＤタグ２のデータを読み取る機能を有している。
【００３１】
また、リモートコントローラ２００は、例えば赤外線通信などを用いて、入力操作に応じた制御信号をビデオレコーダ１００に送信してその動作を制御する機能の他に、光ディスク１上のＲＦＩＤタグ２のデータを非接触で読み取り、そのデータをビデオレコーダ１００に転送する機能を有している。
【００３２】
このようなコンテンツ管理システムでは、ビデオレコーダ１００により光ディスク１に記録したコンテンツを、その光ディスク１ごとにビデオレコーダ１００自身がすべて管理する。このために、ビデオレコーダ１００は、ディスクＩＤ１１と、対応する光ディスク１に記憶されたコンテンツのインデックス情報１２とを、ディスク管理情報１０として保持し、光ディスク１に対してコンテンツを記録するたびに、ディスク管理情報１０にデータを蓄積していく。
【００３３】
そして、本実施の形態では特に、コンテンツを記録した後の光ディスク１から、リモートコントローラ２００を用いてディスクＩＤ１１を読み取り、ビデオレコーダ１００に転送することができる。ビデオレコーダ１００は、受信したディスクＩＤ１１に対応するインデックス情報１２をディスク管理情報１０から抽出し、ＴＶ受像機３００の画面などに一覧表示する。これにより、ユーザは、光ディスク１をビデオレコーダ１００に挿入して再生させることなく、その光ディスク１に記録されたコンテンツを認識することができるので、所望のコンテンツが記録された光ディスク１を素早く探し出すことが可能となる。
【００３４】
次に、上記のコンテンツ管理システムの各装置の内部構成について説明する。
図２は、ビデオレコーダ１００の内部構成を示すブロック図である。
図２に示すように、ビデオレコーダ１００は、チューナ部１０１、エンコーダ／デコーダ１０２、グラフィックインタフェース（Ｉ／Ｆ）１０３、オーディオＩ／Ｆ１０４、ＣＰＵ（Central Processing Unit）１０５、ＲＯＭ１０６、ＲＡＭ１０７、ＨＤＤ１０８、光ディスクドライブ１０９、ＲＦＩＤタグリーダ１１０、入力部１１１、および赤外線受光部１１２を具備する。このビデオレコーダ１００は、ＣＰＵ１０５が内部バス１２０を介して装置内の各コンポーネントに接続して、これらに対する統括的な制御を実行する構成となっている。
【００３５】
チューナ部１０１は、例えばデジタル放送を受信するためのブロックであり、外部のアンテナにより受信された放送電波の入力を受けて、ＣＰＵ１０５からの指示に応じた所定の搬送周波数の信号を選択し、選択した受信信号に対してＱＰＳＫ（Quadrature Phase Shift Keying）復調および誤り訂正処理を施す。そして、処理後のトランスポートストリームからビデオストリームおよびオーディオストリームを分離して、ＣＰＵ１０５の指示に従ってエンコーダ／デコーダ１０２やＨＤＤ１０８、光ディスクドライブ１０９などに転送する。また、トランスポートストリームからはさらにＥＰＧ（Electronic Program Guide）などのデータ放送用の付加情報などを分離して、ＣＰＵ１０５に転送することもできる。
【００３６】
エンコーダ／デコーダ１０２は、ＭＰＥＧ（Moving Picture Experts Group）方式に従ってビデオおよびオーディオのデータの圧縮符号化および伸張復号化処理を行う。例えば、チューナ部１０１やＨＤＤ１０８、光ディスクドライブ１０９などから供給されたビデオ，オーディオの各符号化データをデコードし、処理後のビデオ，オーディオのデータをそれぞれグラフィックＩ／Ｆ１０３およびオーディオＩ／Ｆ１０４に出力する。また、チューナ部１０１がアナログ放送を受信可能である場合は、受信したアナログ放送信号を受け取ってＭＰＥＧ方式に従ってエンコードし、生成した符号化データをＨＤＤ１０８や光ディスク１に転送して記録させることもできる。
【００３７】
グラフィックＩ／Ｆ１０３は、エンコーダ／デコーダ１０２でデコード処理されたビデオデータを例えばアナログ信号に変換し、外部のＴＶ受像機３００などに出力する。このとき、デコード処理されたビデオデータに、ＣＰＵ１０５の処理により生成されたＧＵＩ（Graphical User Interface）画像などのＯＳＤ（On Screen Display）画像データを合成可能としてもよい。オーディオＩ／Ｆ１０４は、エンコーダ／デコーダ１０２でデコード処理されたオーディオデータを例えばアナログ信号に変換して、ＴＶ受像機３００やオーディオ機器などに出力する。
【００３８】
ＣＰＵ１０５は、ＲＯＭ１０６やＨＤＤ１０８などに格納されたプログラムを実行することにより、ビデオレコーダ１００内の各部を統括的に制御する。ＲＯＭ１０６には、ＯＳ（Operating System）やＢＩＯＳ（Basic Input／Output System）、アプリケーションプログラム、その他の各種データがあらかじめ格納される。ＲＡＭ１０７は、ＣＰＵ１０５に実行させるプログラムの少なくとも一部や、このプログラムによる処理に必要な各種データを一時的に記憶する。
【００３９】
ＨＤＤ１０８は、長時間のビデオコンテンツのデータを記録することが可能な、例えば１００ＧＢｙｔｅといった比較的大容量の記憶装置であり、ＣＰＵ１０５により指定されるコマンドやアドレス情報に基づいてデータの書き込みおよび読み出しの動作を行う。ＨＤＤ１０８には、コンテンツのデータや、データ放送用の付加情報などが記録される。また、ＨＤＤ１０８には、ＣＰＵ１０５により実行されるプログラムや実行に必要なデータなどが記憶されてもよい。
【００４０】
光ディスクドライブ１０９には光ディスク１が装着され、光ディスクドライブ１０９は、この光ディスク１からのデータの読み取り、および光ディスク１からのデータの書き込みを行う。
【００４１】
ＲＦＩＤタグリーダ１１０は、光ディスクドライブ１０９にセットされた光ディスク１に設けられたＲＦＩＤタグ２の記録データを非接触で読み取って、ＣＰＵ１０５に転送する。
【００４２】
入力部１１１は、ユーザが操作するための操作キーなどを具備し、ユーザの入力操作に応じた制御信号をＣＰＵ１０５に対して供給する。赤外線受光部１１２は、リモートコントローラ２００から発信された赤外線信号を受信して、受信信号に応じた制御信号をＣＰＵ１０５に供給する。
【００４３】
図３は、リモートコントローラ２００の内部構成を示すブロック図である。
図３に示すように、リモートコントローラ２００は、ＣＰＵ２０１、ＲＯＭ２０２、ＲＡＭ２０３、ＲＦＩＤタグリーダ２０４、入力部２０５、赤外線送信部２０６、および表示部２０７を具備する。このリモートコントローラ２００は、ＣＰＵ２０１が、内部バス２１０を介して装置内の各コンポーネントに接続して、ＲＯＭ２０２などに格納されたプログラムを実行することにより各部に対する統括的な制御を実行する構成となっている。また、ＲＡＭ２０３は、ＣＰＵ２０１に実行させるプログラムの少なくとも一部や、このプログラムによる処理に必要な各種データを一時的に記憶する。
【００４４】
ＲＦＩＤタグリーダ２０４は、光ディスク１に設けられたＲＦＩＤタグ２の記録データを非接触で読み取って、ＣＰＵ２０１に転送する。入力部２０５は、ユーザが操作するための操作キーなどを具備し、ユーザの入力操作に応じた制御信号をＣＰＵ２０１に対して供給する。赤外線送信部２０６は、ＣＰＵ２０１から供給される制御信号に応じた赤外線信号を発信する。表示部２０７は、表示デバイスとして例えばＬＣＤ（Liquid Crystal Display）などを具備し、ＣＰＵ２０１から供給された画像データを基に画像や文字などを表示する。
【００４５】
図４は、光ディスク１の概略構成を示す平面図である。
図４に示すように、光ディスク１は、中心孔１ａの周縁部１ｂを除く範囲にデータ記録膜１ｃが形成されている。データ記録膜１ｃには、比較的高出力のレーザ光が照射されてピットが形成されることで、データが記録される。また、比較的低出力のレーザ光が記録膜１ｃに照射され、その反射光の光量に応じてピットの有無を判定することで、データを読み取ることができる。
【００４６】
さらに、本実施の形態で用いられる光ディスク１には、中心孔１ａの周縁部１ｂに、ＲＦＩＤタグ２の半導体メモリチップ２ａおよびアンテナ２ｂが搭載されている。半導体メモリチップ２ａには、この光ディスク１のディスクＩＤ１１があらかじめ記憶された半導体メモリ回路と、この半導体メモリ回路からのデータ読み出しおよび電力発生などのための制御回路（ともに図示せず）などが形成されている。また、このＲＦＩＤタグ２は読み取り専用のもので、電源を持たず、読み取り器からの受信電波を基に電力を発生して動作する。そして、電波の送受信のためのコイル状のアンテナ２ｂが、周縁部１ｂに設けられている。アンテナ２ｂは例えば、ディスク本体の絶縁性基板シート上に積層した導電性薄膜をエッチング法などで不要部分を除去することでコイル状に成形される。
【００４７】
ところで、ディスクＩＤ１１は例えば数十ビット程度のデータであり、ＲＦＩＤタグ２に必要な記憶容量はきわめて小さい。また、ＲＦＩＤタグ２は、読み取り専用に構成されればよいことから、このようなＲＦＩＤタグ２はきわめて低コストで製造でき、光ディスク１に一体に設けたとしてもその製造コストの上昇は最小限に抑制される。
【００４８】
次に、本実施の形態における各装置の処理について詳しく説明する。
まず、図５は、コンテンツをＨＤＤに記録する際のビデオレコーダ１００における処理の流れを示すフローチャートである。
【００４９】
〔ステップＳ１０１〕録画の開始が指示されたか否かを判定し、指示された場合にステップＳ１０２に進む。録画の開始は例えば、ユーザの操作入力に応じて、あるいはあらかじめユーザによって設定された録画予約情報に基づいて行われる。
【００５０】
〔ステップＳ１０２〕ＨＤＤ１０８に対するコンテンツのデータの書き込みを開始する。放送コンテンツを記録する場合、チューナ部１０１は、ユーザ操作や録画予約情報による指定に応じた搬送周波数の受信信号を選局して、復調および誤り訂正処理を施し、処理後のトランスポートストリームからビデオストリームやオーディオストリームを分離して、ＨＤＤ１０８に順次転送する。ＨＤＤ１０８は、転送された各ストリームを順次記録していく。
【００５１】
なお、チューナ部１０１がアナログ放送を受信可能な場合、受信されたビデオ／オーディオ信号はデジタルデータ化された後、エンコーダ／デコーダ１０２においてＭＰＥＧ方式に従って圧縮符号化されて、ビデオストリームおよびオーディオストリームとしてＨＤＤ１０８に記録される。
【００５２】
〔ステップＳ１０３〕ＥＰＧや録画予約情報などを基に、記録中のコンテンツのインデックス情報１２を取得し、そのコンテンツに対応付けてＨＤＤ１０８内の所定領域に記録する。例えばユーザ操作に応じて録画が開始された場合、ＥＰＧは例えば、チューナ部１０１により受信されたデータ放送チャネルを通じて取得することができる。また、アナログ放送の記録時には、アナログ放送のＶＢＩ（Vertical Blanking Interval）領域などから取得することができる。そして、取得したＥＰＧから番組タイトルなどを抽出し、録画開始時刻などとともにインデックス情報１２として記録する。
【００５３】
また、録画予約情報は、上記の方法で取得したＥＰＧの情報を基に設定することができる。例えば、録画予約情報の設定時には、上記の方法で取得したＥＰＧの一覧を画面上に表示し、ユーザはその一覧から予約する番組を選択して設定することができる。このとき、録画予約情報に録画時刻とともにその番組タイトルなどを記録しておくことで、ステップＳ１０３ではその録画予約情報からインデックス情報１２を取得することができる。
【００５４】
なお、このステップにおいて記録したインデックス情報１２は、ＨＤＤ１０８内に記録したコンテンツの確認や再生対象を選択するために番組タイトルなどを一覧表示する際に使用することもできる。
【００５５】
〔ステップＳ１０４〕録画の終了が指示されたか否かを判定し、指示されるまでコンテンツのデータのＨＤＤ１０８への記録を続ける。そして、ユーザ操作に応じて、あるいは録画予約情報に基づいて録画の終了が指示されると、ステップＳ１０５に進む。
【００５６】
〔ステップＳ１０５〕ＨＤＤ１０８に対するコンテンツのデータの書き込みを停止する。
なお、以上のフローチャートでは、チューナ部１０１により受信した放送コンテンツをＨＤＤ１０８に記録する場合について説明したが、例えばグラフィックＩ／Ｆ１０３およびオーディオＩ／Ｆ１０４を通じて入力されたビデオ信号およびオーディオ信号に基づくデータストリームをＨＤＤ１０８に記録してもよい。この場合、インデックス情報１２のうちの例えば番組タイトルなどは、録画後にユーザ操作に応じて入力可能なようにすればよい。また、放送コンテンツを受信した場合にも、録画後にユーザ操作に応じたインデックス情報１２の追加や編集などを可能にしてもよい。
【００５７】
図６は、コンテンツを光ディスクに記録する際のビデオレコーダ１００における処理の流れを示すフローチャートである。
〔ステップＳ２０１〕光ディスクドライブ１０９のディスクトレイに対して光ディスク１がセットされ、挿入されたか否かを判定し、挿入されたと判定された場合はステップＳ２０２に進む。
【００５８】
〔ステップＳ２０２〕ＲＦＩＤタグリーダ１１０を用いて、光ディスク１に搭載されたＲＦＩＤタグ２からディスクＩＤ１１を読み取る。読み取ったディスクＩＤ１１は、例えばＲＡＭ１０７などに一時的に保持しておく。
【００５９】
〔ステップＳ２０３〕ユーザ操作に応じて、ＨＤＤ１０８から光ディスクドライブ１０９に対するコンテンツのダビングを開始するように指示された場合には、ステップＳ２０４に進む。それ以外の場合はステップＳ２０８に進む。
【００６０】
〔ステップＳ２０４〕ＨＤＤ１０８に記録されていた、指定されたコンテンツのデータを順次読み出して、光ディスクドライブ１０９に転送し、光ディスク１への書き込みを開始する。なお、コピー制御情報によりコピーが禁止されたコンテンツについては、光ディスク１へ転送したコンテンツのデータは消去（無効化）する。
【００６１】
〔ステップＳ２０５〕記録中のコンテンツに対応するインデックス情報１２をＨＤＤ１０８から抽出し、ステップＳ２０２で読み取ったディスクＩＤ１１とともに、ディスク管理情報１０としてＨＤＤ１０８内の所定領域に記録する。
【００６２】
〔ステップＳ２０６〕ダビングの終了が指示されたか否かを判定し、指示されるまでコンテンツのデータの光ディスク１への記録を続ける。そして、ユーザ操作に応じてダビングの終了が指示されると、ステップＳ２０７に進む。
【００６３】
〔ステップＳ２０７〕光ディスク１への書き込み動作を停止する。
〔ステップＳ２０８〕一方、光ディスク１に対しては、一旦ＨＤＤ１０８に記録したコンテンツの他に、現在受信中の放送コンテンツを直接記録することも可能である。この場合、ステップＳ２０８において、ユーザの操作入力に応じて、あるいは録画予約情報に基づいて、録画の開始が指示されたか否かを判定し、指示された場合にステップＳ２０９に進む。なお、指示されない場合はステップＳ２０３に戻り、ダビング開始または録画開始の指示を待機する。
【００６４】
〔ステップＳ２０９〕チューナ部１０１で受信されたコンテンツのデータのＨＤＤ１０８に対する書き込みを開始する。
〔ステップＳ２１０〕図５のステップＳ１０３と同様の方法により、コンテンツのインデックス情報１２を取得し、ステップＳ２０２で読み取ったディスクＩＤ１１とともにディスク管理情報１０としてＨＤＤ１０８内の所定領域に記録する。
【００６５】
〔ステップＳ２１１〕録画の終了が指示されたか否かを判定し、ユーザ操作に応じて、あるいは録画予約情報に基づいて録画の終了が指示されると、ステップＳ２０７に進み、光ディスク１に対するコンテンツのデータの書き込みを停止する。
【００６６】
以上の処理により、光ディスク１にコンテンツを記録した場合には、そのコンテンツのインデックス情報１２と、使用した光ディスク１のディスクＩＤ１１とがディスク管理情報１０としてすべてＨＤＤ１０８に保存される。すなわち、ビデオレコーダ１００は、自機がコンテンツを記録したすべての光ディスク１のディスクＩＤ１１と、それに記録されたコンテンツのインデックス情報１２とを、その後保持し続ける。
【００６７】
また、インデックス情報１２は、ＥＰＧ、あるいはこれを基にした録画予約情報から自動的に生成され、ディスク管理情報１０に登録されるので、ユーザによる入力操作の手間が省かれ、利便性が高まる。
【００６８】
図７は、ディスク管理情報１０のデータ構造の例を示す図である。
図７のように、ディスク管理情報１０には、光ディスク１のディスクＩＤ１１と、記録したコンテンツのインデックス情報１２とが対応付けて記録される。図７の例では、インデックス情報１２として、ＨＤＤ１０８または光ディスク１のいずれかにコンテンツを最初に録画した録画日１２ａと、その番組タイトル１２ｂとが記録されている。インデックス情報１２としてはこの他に、例えばＨＤＤ１０８への記録時点で、ユーザ操作により各コンテンツの内容を説明するコメントを追加したり、再生開始時または再生中の任意の時点での画面をキャプチャした静止画像（サムネール画像）のデータを自動的に、あるいはユーザの操作入力に応じて生成して記録するなどしてもよい。
【００６９】
なお、ＨＤＤ１０８にコンテンツを記録した時点で、インデックス情報１２をディスク管理情報１０に記録するようにしてもよい。この場合、図７の第２段目のデータのように、光ディスク１にダビングを行うまでの間は、ディスクＩＤ１１の欄にはデータが記述されない。
【００７０】
さらに、図７のディスク管理情報１０では、そのコンテンツがＨＤＤ１０８内に現在記録されているか否かを示す記録フラグ１３が記述されている。この記録フラグ１３は、該当するコンテンツがＨＤＤ１０８に記録された時点では“１”とされ、ＨＤＤ１０８から消去されると“０”とされる。この記録フラグ１３は、後述するように、光ディスク１の記録内容を表示させる際に、光ディスク１内のコンテンツと同じものがＨＤＤ１０８にもあることをユーザに通知するために使用することができる。
【００７１】
ところで、ディスク管理情報１０には、ビデオレコーダ１００により記録が行われたコンテンツだけでなく、ユーザが所有する再生専用の光ディスクや、他の機器において記録が行われた光ディスクの記録内容についての情報が記録されていてもよい。これにより、ユーザの所有するできるだけ多くの光ディスクについて、その記録内容を素早く確認することが可能となる。
【００７２】
このためには、例えば、ディスク管理情報１０に登録されていない光ディスクを再生した際に、その記録内容をディスク管理情報１０に登録するようにすればよい。この場合、再生専用のものを含むすべての光ディスクに、ディスクＩＤが記録されたＲＦＩＤタグが搭載されている必要がある。ただし、再生専用の光ディスクの識別情報は、光ディスクの個体を識別するものである必要はなく、その記録データごと（すなわちスタンパの種類ごと）に固有な情報であればよい。
【００７３】
図８は、光ディスク１を再生する際のビデオレコーダ１００の処理の流れを示すフローチャートである。
〔ステップＳ３０１〕光ディスクドライブ１０９に光ディスク１が挿入されたと判定された場合にステップＳ３０２に進む。
【００７４】
〔ステップＳ３０２〕ＲＦＩＤタグリーダ１１０を用いて、光ディスク１に搭載されたＲＦＩＤタグ２からディスクＩＤ１１を読み取る。読み取ったディスクＩＤ１１は、例えばＲＡＭ１０７などに一時的に保持しておく。
【００７５】
〔ステップＳ３０３〕ユーザ操作に応じて、光ディスク１の再生を開始するように指示された場合には、ステップＳ３０４に進む。なお、このときに、ＨＤＤ１０８から光ディスク１へのコンテンツのダビングを指示された場合には、図６に示したステップＳ２０４〜Ｓ２０７の処理が実行されればよい。また、光ディスク１への放送コンテンツの録画の開始が指示された場合には、図６に示したステップＳ２０９〜Ｓ２１１およびＳ２０７の処理が実行されればよい。
【００７６】
〔ステップＳ３０４〕光ディスク１から、記録されたコンテンツを選択するためのメニュー情報を読み込む。そして、ユーザの操作入力によりコンテンツが選択されると、選択されたコンテンツの再生を開始する。
【００７７】
〔ステップＳ３０５〕ＨＤＤ１０８内のディスク管理情報１０を参照し、ステップＳ３０２で読み取ったディスクＩＤ１１が登録されているか否かを判定する。登録されていた場合にはステップＳ３０７に進み、登録されていなかった場合にはステップＳ３０６に進む。
【００７８】
〔ステップＳ３０６〕ステップＳ３０４で読み込んだメニュー情報などから、光ディスク１に記録されたコンテンツについてのインデックス情報１２を生成し、ディスクＩＤ１１と対応付けてディスク管理情報１０に記録する。
【００７９】
〔ステップＳ３０７〕再生終了が指示されたか否かを判定し、指示されるまで光ディスク１の再生を続ける。そして、ユーザ操作に応じて再生終了が指示されると、ステップＳ３０８に進む。
【００８０】
〔ステップＳ３０８〕光ディスク１の再生動作を停止する。
以上の処理により、ディスク管理情報１０に登録されていなかった光ディスク１を再生した場合に、その光ディスク１のディスクＩＤ１１とインデックス情報１２とがディスク管理情報１０に記録されるので、この後に同じ光ディスク１をビデオレコーダ１００にセットすることなく、その記録内容を確認することが可能となる。また、上記のステップＳ３０６で生成されるインデックス情報１２としては、例えば、番組タイトル、作者，監督，出演者などの名前、チャプタの先頭などをキャプチャした静止画像（サムネール画像）などが適用可能である。
【００８１】
次に、ビデオレコーダ１００の外部に存在する光ディスク１の記録内容をユーザが確認するための処理について説明する。図９は、このような処理の流れを示すシーケンス図である。
【００８２】
〔ステップＳ４０１〕リモートコントローラ２００では例えば、ユーザ操作に応じてＲＦＩＤタグ２の読み取りを行う動作モードに設定されると、ＲＦＩＤタグリーダ２０４が読み取りのための信号を発信して読み取り動作を開始する。ユーザがリモートコントローラ２００に所望の光ディスク１を近づけると、その光ディスク１に搭載されたＲＦＩＤタグ２は、リモートコントローラ２００からの信号電波を基にした電力により、内部のメモリ素子に記憶したディスクＩＤ１１を送信し、リモートコントローラ２００のＲＦＩＤタグリーダ２０４は送信された信号を受信する。これによりディスクＩＤ１１が読み取られる。
【００８３】
〔ステップＳ４０２〕ＣＰＵ２０１は、ディスクＩＤ１１の読み取りが完了されたことを判定すると、そのディスクＩＤ１１を赤外線送信部２０６に転送して、赤外線信号によりビデオレコーダ１００に送信させる。なお、リモートコントローラ２００では、赤外線信号がビデオレコーダ１００に受信されなかったときには、以下の処理が実行されず、ステップＳ４０５での画面表示が行われないので、ユーザ操作に応じて赤外線信号の送信を繰り返し行うことが可能なようにしてもよい。
【００８４】
〔ステップＳ４０３〕ビデオレコーダ１００は、リモートコントローラ２００からの赤外線信号を赤外線受光部１１２により受光すると、次のステップＳ４０４の処理を開始する。
【００８５】
〔ステップＳ４０４〕ＨＤＤ１０８に記録されたディスク管理情報１０を参照して、ステップＳ４０３で受信したディスクＩＤ１１に対応するインデックス情報１２をすべて抽出する。
【００８６】
〔ステップＳ４０５〕抽出したインデックス情報１２を一覧表示する。例えば、一覧表示するための画像信号を生成し、グラフィックＩ／Ｆ１０３を通じてＴＶ受像機３００に出力する。または、ビデオレコーダ１００自身が具備する表示装置に表示するようにしてもよい。
【００８７】
以上の処理により、ユーザは、光ディスク１をビデオレコーダ１００にセットして再生させることなく、その光ディスク１に記録されたコンテンツを認識することができる。ビデオレコーダ１００では、光ディスク１がディスクトレイにセットされてから、その光ディスク１を再生して記録内容を表示するまでに、ある程度の時間を要する。特に、複数の種類の光ディスクを記録／再生することが可能である場合には、光ディスク１を再生する前にその光ディスク１の種類の判別が必要で、その処理のためにさらに長時間を要してしまう。これに対して、上記処理によりユーザは光ディスク１の内容を短時間で認識することができ、多くの光ディスク１を所有するユーザでも所望の光ディスク１を素早く探し出すことができるなど、ユーザの利便性が大きく向上する。
【００８８】
また、光ディスク１に搭載されるＲＦＩＤタグ２は、ディスクＩＤ１１のみを記憶し、しかも読み取り専用とされるので、光ディスク１の製造コストはほとんど上昇せず、記録可能な光ディスク１をユーザに対して比較的安価に提供することができる。さらに、リモートコントローラ２００に搭載されるＲＦＩＤタグリーダも、読み取り専用とされることにより、製造コストの上昇や装置の大型化を最小限に抑制することができる。
【００８９】
また、ディスクＩＤ１１の記録手段としてＲＦＩＤタグ２を用いることで、例えばバーコードを用いた場合と比較して、読み取り装置の製造コストを抑制することができ、また読み取ったデータを認識するまでの時間が短くなる。さらに、データ転送時に、ＲＦＩＤタグ２の搭載された部分を読み取り装置の前に正確に配置して静止させる必要もないので、ユーザにとって取り扱いが容易である。
【００９０】
なお、図７に示したように、ディスク管理情報１０に記録フラグ１３が記述されている場合には、図９のステップＳ４０４において、インデックス情報１２とともに記録フラグ１３の値を読み出し、ステップＳ４０５において、一覧表示中の各コンテンツが現在ＨＤＤ１０８に存在するか否かを記録フラグ１３の値に基づいて表示するようにしてもよい。これにより、ユーザは探していたコンテンツが光ディスク１だけでなくＨＤＤ１０８にも残っていることを認識できるので、その光ディスク１をビデオレコーダ１００にセットせずに、ビデオレコーダ１００のＨＤＤ１０８内の同じコンテンツをより素早く再生させることができ、ユーザの利便性がさらに高められる。
【００９１】
《第２の実施の形態》
第２の実施の形態では、光ディスク１のインデックス情報１２を、リモートコントローラ２００の具備する表示画面に表示させるようにする。このためには、以下で説明するように、リモートコントローラ２００とビデオレコーダ１００との間で相互にデータを送受信できる必要がある。従って、ビデオレコーダ１００およびリモートコントローラ２００としては、基本的には図２および図３に示したものと同様の構成でよいが、赤外線受光部１１２および赤外線送信部２０６の代わりに、ともに赤外線信号の送受信が可能な回路を設ければよい。なお、ビデオレコーダ１００内のディスク管理情報１０は、第１の実施の形態と同様の処理により記録されればよい。
【００９２】
図１０は、第２の実施の形態において、ユーザが光ディスク１の記録内容を認識するための処理の流れを示すシーケンス図である。
ステップＳ５０１〜Ｓ５０４の処理は、それぞれ図９のステップＳ４０１〜Ｓ４０４と同様である。すなわち、リモートコントローラ２００を光ディスク１に近づけて、ＲＦＩＤタグ２からディスクＩＤ１１を読み取り、ビデオレコーダ１００に送信する。ビデオレコーダ１００は、受信したディスクＩＤ１１に対応するインデックス情報１２を、ディスク管理情報１０からすべて抽出する。
【００９３】
〔ステップＳ５０５〕ビデオレコーダ１００は、抽出したすべてのインデックス情報１２を、赤外線信号によりリモートコントローラ２００に送信する。
〔ステップＳ５０６〕リモートコントローラ２００は、ビデオレコーダ１００からの赤外線信号を受信し、インデックス情報１２を取得する。
【００９４】
なお、ステップＳ５０２でのディスクＩＤの送信から、例えば一定時間後までにビデオレコーダ１００からのインデックス情報１２が受信できなかった場合には、受信できなかった旨を表示部２０７に表示するなどしてユーザに警告し、ユーザの入力操作によりディスクＩＤを再送信することが可能なようにしてもよい。赤外線信号は指向性が高く、ユーザのリモートコントローラ２００の持ち方によっては赤外線信号が正しくビデオレコーダ１００で受信されないことも多いので、上記機能によりそのような場合にも、ユーザがより正確に、かつできるだけ短時間で光ディスク１の記録内容を認識できるようになる。
【００９５】
〔ステップＳ５０７〕リモートコントローラ２００は、受信したインデックス情報１２の一覧表示画面を、表示部２０７に表示する。
以上の処理により、ユーザは、リモートコントローラ２００を光ディスク１にかざした後、そのリモートコントローラ２００において記録内容を即座に視認することができるので、ユーザの操作感がより向上される。また、例えばＴＶ受像機３００の電源がオンされていない場合や、ビデオレコーダ１００までの距離が数メートル程度以上あるためにビデオレコーダ１００の具備する表示画面の視認が難しい場合などにも、手元のリモートコントローラ２００において記録内容を即座に視認することが可能となる。
【００９６】
《第３の実施の形態》
図１１は、第３の実施の形態のシステム構成を示す図である。
第３の実施の形態では、リモートコントローラ２００を用いることなく、ビデオレコーダ１００のみで光ディスク１の記録内容を素早く認識できるようにする。このために、図１１に示すように、例えばビデオレコーダ１００の前面パネルにＲＦＩＤタグリーダ１１０のアンテナ１１０ａを設けることにより、光ディスク１をビデオレコーダ１００に近づけるだけで、ビデオレコーダ１００がディスクＩＤ１１を読み取ることが可能なようにする。
【００９７】
なお、本実施の形態でも、ビデオレコーダ１００内のディスク管理情報１０は、第１の実施の形態と同様の処理により記録されればよい。
図１２は、第３の実施の形態において、ユーザが光ディスク１の記録内容を認識するためのビデオレコーダ１００の処理の流れを示すフローチャートである。
【００９８】
〔ステップＳ６０１〕ビデオレコーダ１００では、ＲＦＩＤタグリーダ１１０のアンテナ１１０ａから、例えば１秒間に数回といった一定時間ごとに読み取りのための信号を発信する。
【００９９】
〔ステップＳ６０２〕光ディスク１がＲＦＩＤタグリーダ１１０のアンテナ１１０ａに近づけられ、ＲＦＩＤタグリーダ１１０がＲＦＩＤタグ２に記録されたディスクＩＤ１１を読み取った場合にはステップＳ６０３に進み、読み取られない場合にはステップＳ６０１に戻る。
【０１００】
〔ステップＳ６０３〕ＨＤＤ１０８に記録されたディスク管理情報１０を参照して、ステップＳ６０２で受信したディスクＩＤ１１に対応するインデックス情報１２をすべて抽出する。
【０１０１】
〔ステップＳ６０４〕抽出したインデックス情報１２を一覧表示する。例えば、一覧表示するための画像信号を生成し、グラフィックＩ／Ｆ１０３を通じてＴＶ受像機３００に出力する。または、ビデオレコーダ１００自身が具備する表示装置に表示するようにしてもよい。
【０１０２】
以上の処理により、ユーザはリモートコントローラ２００を用いることなく、光ディスク１をビデオレコーダ１００に近づけるだけで、その光ディスク１の記録内容を確認することが可能となる。光ディスク１を再生しようとする際にはユーザ自身がビデオレコーダ１００に近づくので、そのときに光ディスク１の記録内容を確認することが可能となることで、例えば所望のコンテンツが記録されていない光ディスク１であることを、光ディスク１をビデオレコーダ１００にセットする前に気づくことができる。
【０１０３】
なお、図１１の例では、ＲＦＩＤタグリーダ１１０を前面パネルに設けたが、例えば、光ディスク１をセットするディスクトレイ１３０の前面部あるいはディスク載置面に設けてもよい。この場合、ユーザが意図的に光ディスク１をＲＦＩＤタグリーダ１１０にかざすことをせずに、その光ディスク１をディスクトレイ１３０にセットして再生させようとした場合にも、セットするまでの過程でビデオレコーダ１００側ではディスクＩＤ１１を認識して、対応するインデックス情報１２を表示することができる。このため、光ディスク１を再生してその記録内容を表示していた従来の場合よりも、その記録内容をユーザが早い時点で認識することができ、例えば所望のコンテンツが記録されていない光ディスク１であったときに、その光ディスク１を即座に取り出し、別の光ディスクをセットすることができる。
【産業上の利用可能性】
【０１０４】
上記の各実施の形態では、ビデオコンテンツを記録するための専用のビデオレコーダについて説明したが、これに限らず、例えばビデオコンテンツを記録・再生可能なパーソナルコンピュータなどの情報処理機器など、複数種類の光ディスクの記録および再生が可能なすべての機器に本発明を適用することが可能である。
【０１０５】
また、上記の各実施の形態では、光ディスクに記録したビデオコンテンツのインデックス情報を管理する例について説明したが、管理対象のコンテンツとしては他に、オーディオコンテンツや、各種アプリケーションプログラムを用いたデータファイルなどを適用することもできる。その場合、インデックス情報としては、ファイルの作成日や最終更新日、ファイル名、ファイルサイズ、ファイルの内容を示すコメント文などを適用することができる。
【０１０６】
また、上記の各実施の形態では、コンテンツを記録する可搬型の記録媒体として光ディスクを用いたが、この他に磁気ディスク、光磁気ディスク、メモリカード、磁気テープなどを適用することも可能である。
【図面の簡単な説明】
【０１０７】
【図１】第１の実施の形態のシステム構成を示す図である。
【図２】第１の実施の形態に係るビデオレコーダの内部構成を示すブロック図である。
【図３】第１の実施の形態に係るリモートコントローラの内部構成を示すブロック図である。
【図４】実施の形態で用いられる光ディスクの概略構成を示す平面図である。
【図５】コンテンツをＨＤＤに記録する際のビデオレコーダにおける処理の流れを示すフローチャートである。
【図６】コンテンツを光ディスクに記録する際のビデオレコーダにおける処理の流れを示すフローチャートである。
【図７】ディスク管理情報のデータ構造の例を示す図である。
【図８】光ディスクを再生する際のビデオレコーダの処理の流れを示すフローチャートである。
【図９】第１の実施の形態において、ユーザが光ディスクの記録内容を認識するための処理の流れを示すシーケンス図である。
【図１０】第２の実施の形態において、ユーザが光ディスクの記録内容を認識するための処理の流れを示すシーケンス図である。
【図１１】第３の実施の形態のシステム構成を示す図である。
【図１２】第３の実施の形態において、ユーザが光ディスクの記録内容を認識するためのビデオレコーダの処理の流れを示すフローチャートである。
【符号の説明】
【０１０８】
１……光ディスク、２……ＲＦＩＤタグ、１０……ディスク管理情報、１１……ディスクＩＤ、１２……インデックス情報、１００……ビデオレコーダ、１０１……チューナ部、１０２……エンコーダ／デコーダ、１０３……グラフィックＩ／Ｆ、１０４……オーディオＩ／Ｆ、１０５……ＣＰＵ、１０６……ＲＯＭ、１０７……ＲＡＭ、１０８……ＨＤＤ、１０９……光ディスクドライブ、１１０……ＲＦＩＤタグリーダ、１１１……入力部、１１２……赤外線受光部、１２０……内部バス、２００……リモートコントローラ、２０１……ＣＰＵ、２０２……ＲＯＭ、２０３……ＲＡＭ、２０４……ＲＦＩＤタグリーダ、２０５……入力部、２０６……赤外線送信部、２０７……表示部、２１０……内部バス、３００……ＴＶ受像機
【図１】
2006031843.tif 000003
【図２】
2006031843.tif 000004
【図３】
2006031843.tif 000005
【図４】
2006031843.tif 000006
【図５】
2006031843.tif 000007
【図６】
2006031843.tif 000008
【図７】
2006031843.tif 000009
【図８】
2006031843.tif 000010
【図９】
2006031843.tif 000011
【図１０】
2006031843.tif 000012
【図１１】
2006031843.tif 000013
【図１２】
2006031843.tif 000014